(57)【要約】【課題】製造品を構成する使用部品に類似品が含まれている場合の管理を容易にすることが可能な製造品管理装置、製造品管理方法、及び製造品管理プログラムを提供することを目的とする。【解決手段】本実施の形態の製造品管理装置は、製造品である親商品と、親商品を構成する使用商品と、当該使用商品の使用数と、当該使用商品が類似品であるか否かを示すフラグと、類似品である場合のグループ番号とを関連づけて登録したマスタと、表示部に表示される登録画面において、親商品について使用商品と使用数を入力して製造実績を登録する場合に、前記マスタを参照して、使用商品に類似品が含まれている場合は、同一のグループ番号の少なくとも１つの類似品を入力した場合に製造実績登録を許可する製造実績登録処理手段と、を備えている。【選択図】図１
2020134974.tif 000002
【特許請求の範囲】
【請求項１】
記憶部及び制御部を備えた製造品管理装置であって、
前記記憶部には、
製造品である親商品と、親商品を構成する使用商品と、当該使用商品の使用数と、当該使用商品が類似品であるか否かを示すフラグと、類似品である場合のグループ番号とを関連づけて登録したマスタが格納されており、
前記制御部は、
表示部に表示される登録画面において、親商品について使用商品と使用数を入力して製造実績を登録する場合に、前記マスタを参照して、使用商品に類似品が含まれている場合は、同一のグループ番号の少なくとも１つの類似品を入力した場合に製造実績登録を許可する製造実績登録処理手段を備えたことを特徴とする製造品管理装置。
【請求項２】
前記制御部は、前記マスタを参照して、親商品の製造仕様書を出力する製造仕様書出力手段を備えたことを特徴とする請求項１に記載の製造品管理装置。
【請求項３】
制御部及び記憶部を備えた情報処理装置で実行する製造品管理方法であって、
前記記憶部には、
製造品である親商品と、親商品を構成する使用商品と、当該使用商品の使用数と、当該使用商品が類似品であるか否かを示すフラグと、類似品である場合のグループ番号とを関連づけて登録したマスタが格納されており、
前記制御部により実行される、
表示部に表示される登録画面において、親商品について使用商品と使用数を入力して製造実績を登録する場合に、前記マスタを参照して、使用商品に類似品が含まれている場合は、同一のグループ番号の少なくとも１つの類似品を入力した場合に製造実績登録を許可する製造実績登録処理ステップを含むことを特徴とする製造品管理方法。
【請求項４】
制御部及び記憶部を備えた情報処理装置が実行するための製造品管理プログラムであって、
前記記憶部には、
製造品である親商品と、親商品を構成する使用商品と、当該使用商品の使用数と、当該使用商品が類似品であるか否かを示すフラグと、類似品である場合のグループ番号とを関連づけて登録したマスタが格納されており、
前記制御部において、
表示部に表示される登録画面において、親商品について使用商品と使用数を入力して製造実績を登録する場合に、前記マスタを参照して、使用商品に類似品が含まれている場合は、同一のグループ番号のいずれか１つの類似品を入力した場合に製造実績登録を許可する製造実績登録処理ステップを含む実行するための製造品管理プログラム。
【発明の詳細な説明】
【技術分野】
【０００１】
本発明は、製造品管理装置、製造品管理方法、及び製造品管理プログラムに関する。  
【背景技術】
【０００２】
例えば、製造業では、構成部品数が非常に多く、また顧客仕様対応のため、同様の製造品でも使用部品の品番を変える場合がある。これらの使用部品の品番の中には、仕入先・型番は異なるものの、規格・材質等は同一であるため、同一使用部品として扱えるもの（＝類似品）がいくつか存在する。類似品を使用部品とする製造品の製造管理は取り扱いが難しいものとなっている。製品の製造実績登録を行うシステムとして、例えば、特許文献１のシステムがある。
【先行技術文献】
【特許文献】
【０００３】
【特許文献１】特開２０００−２３７９３５号公報
【発明の概要】
【発明が解決しようとする課題】
【０００４】
しかしながら、特許文献１では、製造品を構成する使用部品に類似品が含まれている場合の管理に関して何等記載されていない。
【０００５】
本発明は、上記に鑑みてなされたものであり、製造品を構成する使用部品に類似品が含まれている場合の管理を容易にすることが可能な製造品管理装置、製造品管理方法、及び製造品管理プログラムを提供することを目的とする。
【課題を解決するための手段】
【０００６】
上述した課題を解決し、目的を達成するために、記憶部及び制御部を備えた製造品管理装置であって、前記記憶部には、親商品と、親商品を構成する使用商品と、当該使用商品の使用数と、当該使用商品が類似品であるか否かを示すフラグと、類似品である場合のグループ番号とを関連づけて登録したマスタが格納されており、前記制御部は、表示部に表示される登録画面において、親商品について使用商品と使用数を入力して製造実績を登録する場合に、前記マスタを参照して、使用商品に類似品が含まれている場合は、同一のグループ番号の少なくとも１つの類似品を入力した場合に製造実績登録を許可する製造実績登録処理手段を備えたことを特徴とする。
【０００７】
また、本発明の好ましい態様によれば、前記制御部は、前記マスタを参照して、親商品の製造仕様書を出力する製造仕様書出力手段を備えていてもよい。
【０００８】
また、上述した課題を解決し、目的を達成するために、本発明は、制御部及び記憶部を備えた情報処理装置で実行する製造品管理方法であって、前記記憶部には、親商品と、親商品を構成する使用商品と、当該使用商品の使用数と、当該使用商品が類似品であるか否かを示すフラグと、類似品である場合のグループ番号とを関連づけて登録したマスタが格納されており、前記制御部により実行される、表示部に表示される登録画面において、親商品について使用商品と使用数を入力して製造実績を登録する場合に、前記マスタを参照して、使用商品に類似品が含まれている場合は、同一のグループ番号の少なくとも１つの類似品を入力した場合に製造実績登録を許可する製造実績登録処理ステップを含むことを特徴とする。
【０００９】
また、上述した課題を解決し、目的を達成するために、本発明は、制御部及び記憶部を備えた情報処理装置が実行するための製造品管理プログラムであって、前記記憶部には、親商品と、親商品を構成する使用商品と、当該使用商品の使用数と、当該使用商品が類似品であるか否かを示すフラグと、類似品である場合のグループ番号とを関連づけて登録したマスタが格納されており、前記制御部において、表示部に表示される登録画面において、親商品について使用商品と使用数を入力して製造実績を登録する場合に、前記マスタを参照して、使用商品に類似品が含まれている場合は、同一のグループ番号のいずれか１つの類似品を入力した場合に製造実績登録を許可する製造実績登録処理ステップを実行するための製造品管理プログラムであることを特徴とする。
【発明の効果】
【００１０】
本発明によれば、製造品を構成する使用部品に類似品が含まれている場合の管理を容易にすることが可能になるという効果を奏する。
【図面の簡単な説明】
【００１１】
【図１】図１は、本実施の形態に係る製造品管理装置の構成の一例を示すブロック図である。
【図２】図２は、マスタ及びデータのデータ構成例を示す図である。
【図３】図３は、商品マスタ、製造構成親マスタ、製造構成子マスタのデータ例を示す図である。
【図４】図４は、製造仕様書の画面出力例を示す図である。
【図５】図５は、製造実績入力画面のイメージの一例を示す図である。
【図６】図６は、登録エラーになるパターンを説明するための図である。
【図７】図７は、正常登録になるパターン１を説明するための図である。
【図８】図８は、正常登録になるパターン２を説明するための図である。
【発明を実施するための形態】
【００１２】
本発明の実施形態を図面に基づいて詳細に説明する。なお、本発明は本実施形態により限定されるものではない。
【００１３】
［１．概要］
例えば、製造業の顧客では、構成部品数が非常に多く、また顧客仕様対応のため、同様の製造品でも使用部品の品番を変える場合がある。これらの使用部品の品番の中には、仕入先・型番は異なるものの、規格・材質等は同一であるため、同一使用部品として扱えるもの（＝類似品）がいくつか存在する。
【００１４】
従来のシステムの構成管理機能では、１つの製造品に対し使用部品を複数・階層的に登録でき、その部品構成表を製造仕様書等に印刷できるため、製造実績報告時の事務作業の効率を図ることができる。
【００１５】
かかる構成管理機能は、非常に有効ではあるが、類似品の取り扱いについては管理面や実務面で不都合が多かった。類似品１点のみ登録しただけでは、実際に使用する際に他の類似品が存在するかどうかを作業者が都度確認する必要が出てしまう。逆に類似品を全て登録しておくと、実際に使用しなかった類似品について、製造実績登録時に構成品不足としてチェックされてしまう。
【００１６】
そこで、本実施の形態では、製造品を構成する使用部品に類似品が含まれている場合の管理を容易にするために、（１）製造構成マスタに、登録する使用品番毎に「類似品か否かのフラグ」、「類似品としてのグループ番号」を登録できるようにし、（２）製造実績登録する場合に、製造構成マスタ上で類似品として登録された使用品番は、その内の少なくとも１点を使用していれば、他の類似品は使用していなくても問題が無いと判断することにした。
【００１７】
本実施の形態によれば、（１）製造部門においては、類似品の有無とその種類を製造仕様書上で確認できるようになり、確認のためのコストを削減することが可能となる。（２）また、製造実績報告時に類似品に関するチェックが適正化されたことにより、事務作業上での効率を向上することが可能となる。（３）商品開発部門においては、製造構成マスタ上に類似品を全て登録しておけるようになり、情報の二重管理を解消することが可能となる。
【００１８】
［２．構成］
図１を参照して、本実施形態に係る製造品管理装置１００の構成の一例について説明する。図１は、本実施の形態に係る製造品管理装置１００の構成の一例を示すブロック図である。
【００１９】
製造品管理装置１００は、例えば、ワークステーションや市販のデスクトップ型パーソナルコンピュータである。なお、製造品管理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。  
【００２０】
製造品管理装置１００は、図１に示すように、制御部１０２と通信インターフェース部１０４と記憶部１０６と入出力インターフェース部１０８と、を備えている。製造品管理装置１００が備えている各部は、任意の通信路を介して通信可能に接続されている。
【００２１】
通信インターフェース部１０４は、ルータ等の通信装置および専用線等の有線または無線の通信回線を介して、製造品管理装置１００をネットワーク３００に通信可能に接続する。通信インターフェース部１０４は、他の装置と通信回線を介してデータを通信する機能を有する。ここで、ネットワーク３００は、製造品管理装置１００と、サーバ２００、製造部門や商品開発部門の端末装置４００・・・とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバに格納されてもよい。  
【００２２】
通信インターフェース部１０４は、ルータ等の通信装置及び専用線等の有線又は無線の通信回線を介して、製造品管理装置１００をネットワーク３００に通信可能に接続する。通信インターフェース部１０４は、他の装置と通信回線を介してデータを通信する機能を有する。ここで、ネットワーク３００は、製造品管理装置１００と、サーバ２００や端末装置４００・・・とを相互に通信可能に接続する機能を有し、例えばインターネットやＬＡＮ（Ｌｏｃａｌ  Ａｒｅａ  Ｎｅｔｗｏｒｋ）等である。  
【００２３】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及び、マイクの他、マウスと協働してポインティングデバイス機能を実現するモニタを用いることができる。なお、以下では、出力装置１１４をモニタ１１４とし、入力装置１１２をキーボード１１２又はマウス１１２として記載する場合がある。また、「出力」とは、モニタ１１４の画面に表示出力すること、プリンタで印刷出力すること、及び外部に送信出力することを含む。また、モニタ１１４に情報を表示して、ユーザが入力装置１１２を操作すること等を、「ＵＩを介したユーザ操作」と記載する場合がある。
【００２４】
記憶部１０６には、各種のデータベース、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。  
【００２５】
また、記憶部１０６は、商品マスタ１０６ａと、製造構成親マスタ１０６ｂと、製造構成コスタ１０６ｃと、データファイル１０６ｄを備えている。図２は、商品マスタ１０６ａ、製造構成親マスタ１０６ｂ、製造構成子マスタ１０６ｃ、及びデータファイル１０６ｄに格納される製造実績データ、製造実績受入明細データ、製造実績払出明細データのデータ構成例を示す図である。商品マスタ１０６ａ、製造構成親マスタ１０６ｂ、及び製造構成子マスタ１０６ｃを総称して「マスタ」と称する。商品マスタ１０６ａ、製造構成親マスタ１０６ｂ、及び製造構成子マスタ１０６ｃは、図２の構成に限られず、分割や統合して構成してもよい。
【００２６】
商品マスタ１０６ａは、図２に示すように、商品コード（以下、コードを「ＣＤ」と表記する場合がある）及び商品名のデータを関連づけて登録したテーブル等で構成することができる。
【００２７】
製造構成親マスタ１０６ｂは、図２に示すように、親商品コード（商品コード）及び製造構成パターンＣＤのデータを関連づけて登録したテーブル等で構成することができる。
【００２８】
製造構成子マスタ１０６ｃは、図２に示すように、親商品コード（商品コード）、製造の構成レベルを示す製造構成パターンＣＤ、構成番号、使用商品コード（商品コード）、使用数、及び類似品グループＮＯのデータを関連づけて登録したテーブル等で構成することができる。商品マスタ１０６ａ、製造構成親マスタ１０６ｂ、及び製造構成子マスタ１０６ｃは、商品コードをキーとしてリンクしている。
【００２９】
製造実績データは、製造実績番号及び製造日のデータを含んでいてもよい。また、製造実績受入明細データは、製造実績番号、製造実績受入明細番号、商品コード、及び製造数のデータを含んでいてもよい。また、製造実績払出明細データは、製造実績番号、製造実績受入明細番号、製造実績払出明細番号、使用商品コード（商品コード）、及び使用数のデータを含んでいてもよい。
【００３０】
制御部１０２は、製造品管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、画面表示制御部１０２ａと、製造実績登録処理部１０２ｂと、製造仕様書出力部１０２ｃと、マスタメンテ部１０２ｄとを備えている。
【００３１】
画面表示制御部１０２ａは、モニタ１１４に表示させる各種画面（例えば、製造実績入力（登録）画面、製造仕様書出力画面、マスタメンテ画面等）の表示・入力受付を制御する。
【００３２】
製造実績登録処理部１０２ｂは、例えば、モニタ１１４に表示される製造実績入力画面（図５参照）上でのオペレーターの操作に応じて、親商品（製造品）について使用商品と使用数等を入力して、データファイル１０６ｄに製造実績（製造実績データ、製造実績受入明細データ、製造実績払出明細データ）を登録する。
【００３３】
この場合、製造実績登録処理部１０２ｂは、マスタを参照して、使用商品に類似品が含まれている場合は、同一のグループ番号の少なくとも１つの類似品が入力されている場合に製造実績の登録を許可することにしてもよい。
【００３４】
製造仕様書出力部１０２ｃは、例えば、モニタ１１４に表示される不図示の製造仕様書出力画面上でのオペレーターの操作に応じて、マスタを参照して、親商品（製造品）の製造仕様書を出力する。これによりオペレーターは、例えば、製造仕様書を確認しながら製造実績登録を行うことができ、誤登録を防止することが可能となる。
【００３５】
マスタメンテ部１０２ｄは、モニタ１１４に表示される不図示のマスタメンテ画面上でのオペレーターの操作に応じて、商品マスタ１０６ａ、製造構成親マスタ１０６ｂ、及び製造構成子マスタ１０６ｃに対して、データの入力・追加・変更・更新等の編集（設定）を行う。これにより、オペレーターは、製造構成子マスタ１０６ｃで類似品を全て登録しておけるようになり、情報の二重管理を解消することが可能となる。
【００３６】
［３．具体例］
図１〜図８を参照して、本実施形態における製造品管理装置１００の制御部１０２による処理の具体例をサンプルデータを使用して説明する。図３は、商品マスタ１０６ａ、製造構成親マスタ１０６ｂ、製造構成子マスタ１０６ｃのデータ例を示す図である。
【００３７】
図３（Ａ）は、商品マスタ１０６ａのデータ例を示す図である。図３（Ａ）に示す商品マスタ１０６ａの例では、１行目が、商品コード「ＳＥＩＨＩＮ−Ａ」、商品名「製品Ａ」、２行目が、商品コード「ＢＵＨＩＮ−０１」、商品名「部品０１」、３行目が、商品コード「ＢＵＨＩＮ−０２」、商品名「部品０２」、４行目が、商品コード「ＢＵＨＩＮ−０３−ａ」、商品名「部品０３（類似品ａ）」、５行目が、商品コード「ＢＵＨＩＮ−０３−ｂ」、商品名「部品０３（類似品ｂ）」、６行目が、商品コード「ＢＵＨＩＮ−０３−ｃ」、商品名「部品０３（類似品ｃ）」、７行目が、商品コード「ＢＵＨＩＮ−０４」、商品名「部品０４」となっている。
【００３８】
図３（Ｂ）は、製造構成親マスタ１０６ｂのデータ例を示す図である。図３（Ｂ)に示す製造構成親マスタ１０６ｂの例では、１行目が、親商品コード「ＳＥＩＨＩＮ−Ａ」、製造構成パターンＣＤ「０１」となっている。
【００３９】
図３（Ｃ）は、製造構成子マスタ１０６ｃのデータ例を示す図である。図３（Ｃ）に示す製造構成子マスタ１０６ｃの例では、親商品コード「ＳＥＩＨＩＮ−Ａ」及び製造構成パターンＣＤ「０１」について、１行目が、使用商品コード「ＢＵＨＩＮ−０１」、使用数「１０」、２行目が、使用商品コード「ＢＵＨＩＮ−０２」、使用数「１０」、３行目が、使用商品コード「ＢＵＨＩＮ−０３−ａ」、使用数「５」、類似品グループＮＯ「１００」、４行目が、使用商品コード「ＢＵＨＩＮ−０３−ｂ」、使用数「５」、類似品グループＮＯ「１００」、５行目が、使用商品コード「ＢＵＨＩＮ−０３−ｃ」、使用数「５」、類似品グループＮＯ「１００」、６行目が、使用商品コード「ＢＵＨＩＮ−０４」、使用数「１０」となっている。使用商品コード「ＢＵＨＩＮ−０３−ａ」、「ＢＵＨＩＮ−０３−ｂ」、「ＢＵＨＩＮ−０３−ｃ」の３つの使用商品は、同じグループ類似品グループに属する類似品となっている。類似品の使用数については、同一の類似品グループＮＯの類似品全体として必要な使用数をそれぞれ設定している。例えば、使用商品コード「ＢＵＨＩＮ−０３−ａ」、「ＢＵＨＩＮ−０３−ｂ」、「ＢＵＨＩＮ−０３−ｃ」で合計して「５」個使用すればよく、例えば、「ＢＵＨＩＮ−０３−ａ」を「５」個使用してもよいし、「ＢＵＨＩＮ−０３−ａ」と「ＢＵＨＩＮ−０３−ｃ」で併せて「５」個使用してもよい。
【００４０】
以下では、商品コード「ＳＥＩＨＩＮ−Ａ（製品Ａ）」の製造実績を登録する場合を例示して説明する。
【００４１】
図４は、製造仕様書の画面出力例を示す図である。製造仕様書出力部１０２ｃは、例えば、不図示の仕様書出力画面上のオペレーターの操作に応じて、商品コードが指定された場合に、商品コードをキーとして、商品マスタ１０６ａ、製造構成親マスタ１０６ｂ、及び製造構成子マスタ１０６ｃを参照して、製造仕様書を出力する。
【００４２】
図４に示す製造仕様書の例では、製品（商品）の商品コード、商品名、製造数が表示されている。また、使用商品一覧が表示されている。使用商品（部品）一覧では、使用した商品（部品）について、使用商品コード、使用商品名、使用数、及び類似品グループＮＯのデータが表示されている。
【００４３】
つぎに、図５〜図８を参照して製造実績入力について説明する。図５は、製造実績入力画面イメージの一例を示す図である。図６は、登録エラーになるパターンを説明するための図である。図７は、正常登録になるパターン１を説明するための図である。図８は、正常登録になるパターン２を説明するための図である。
【００４４】
図５において、５００は、製造実績入力画面（ホーム）、６００は、製造実績入力画面（受入明細）、７００は、製造実績入力画面（払出明細）を示している。製造実績登録処理部１０２ｂは、例えば、製造実績入力画面（ホーム）５００、製造実績入力画面（受入明細）６００、製造実績入力画面（払出明細）７００において、不図示の登録ボタンが押下された場合にエラーチェックを行い、エラーがない場合に、製造実績（製造実績データ、製造実績受入明細データ、製造実績払出明細データ）をデータファイル１０６ｄに登録する。
【００４５】
図５において、製造実績入力画面５００において、エリア５０１で製造実績番号、製造日を入力し、エリア５０２で商品コードと、商品名、製造数を入力する。商品コードを入力すると、商品マスタ１０６ａから対応する商品名が読み出されて自動表示される。他の画面でも同様である。エリア５０２で行を選択（例えば、ダブルクリック）すると、製造実績入力画面（受入明細）６００が表示される。
【００４６】
製造実績入力画面（受入明細）６００において、エリア６０１には、エリア５０２で選択された行番号、商品コード、製造数が表示される。エリア６０２では、使用商品コード、使用商品名、使用数を入力する。ここで類似品を入力する場合には、後述するようなチェックが行われる。エリア６０２で行を選択（例えば、ダブルクリック）すると、製造実績入力画面（払出明細）７００が表示される。エリア７０１には、エリア６０１と同様な内容が表示され、エリア７０２には、エリア６０２で選択された行の使用商品コード、使用数が表示される。
【００４７】
図５に示す例では、製造実績入力画面５００において、エリア５０１で製造実績番号「Ａ０００００００１」、製造日「２０１８／０２／０１」が入力され、エリア５０２で１行目に、商品コード「ＳＥＩＨＩＮ−Ａ」と、商品名「製品Ａ」、製造数「１」が入力されている。エリア５０２で１行目が選択される。
【００４８】
製造実績入力画面（受入明細）６００では、エリア６０１には、選択された行番号「１」、商品コード「ＳＥＩＨＩＮ−Ａ（製品Ａ）」、製造数「１」が表示される。エリア６０２では、１行目に、使用商品コード「ＢＵＨＩＮ−０１」、使用商品名「部品０１」、使用数「１０」、２行目に、使用商品コード「ＢＵＨＩＮ−０２」、使用商品名「部品０２」、使用数「１０」、３行目に、使用商品コード「ＢＵＨＩＮ−０３−ａ」、使用商品名「部品０３（類似品ａ）」、使用数「５」が入力されている。エリア６０２で３行目が選択される。
【００４９】
製造実績入力画面（払出明細）７００では、エリア７０２に、エリア６０２で選択された行の使用商品コード「ＢＵＨＩＮ−０３−ａ」、使用数「５」が表示されている。
【００５０】
つぎに、製造実績入力画面（受入明細）６００のエリア６０２で使用商品コードを入力する際のエラーチェックについて説明する。製造実績登録処理部１０２ｂは、製造仕様書に載っている、すなわち、製造構成子マスタ１０６ｃで設定されている使用商品を全て使用登録したかどうかをチェックする。具体的には、以下のルール（Ａ）（Ｂ）をチェックする。
【００５１】
（Ａ）製造仕様書上、類似品ではない使用商品は必ず登録しておく必要がある。商品コード「ＳＥＩＨＩＮ−Ａ（製品Ａ）」については、類似品でない使用商品群である、使用商品コード「ＢＵＨＩＮ−０１」、商品名「部品０１」と、使用商品コード「ＢＵＨＩＮ−０２」、商品名「部品０２」と、使用商品コード「ＢＵＨＩＮ−０４」、商品名「部品０４」を登録しておく。
【００５２】
（Ｂ）使用商品のうち複数の類似品がある場合は、少なくとも１つを必ず登録しておく。商品コード「ＳＥＩＨＩＮ−Ａ（製品Ａ）」については、類似品の使用商品群である、使用商品コード「ＢＵＨＩＮ−０３−ａ」、商品名「部品０３（類似品ａ）」と、使用商品コード「ＢＵＨＩＮ−０３−ｂ」、商品名「部品０３（類似品ｂ）」と、使用商品コード「ＢＵＨＩＮ−０３−ｃ」、商品名「部品０３（類似品ｃ）」のうち、少なくとも１つを登録しておく。
【００５３】
上記のルール（Ａ）（Ｂ）に基づいて使用商品の不足チェックを行う際に、登録エラーになるパターン・ＯＫになるパターンを下記に例を挙げて説明する。
【００５４】
（１）登録エラーになるパターン
図６を参照して、登録エラーになるパターンを説明する。図４に示す製造仕様書の例では、図３に示す製造構成子マスタ１０６ｃを参照し、以下のように、類似品である３つの使用商品コードを「１つも」入力しなかった場合はデータ更新前チェックでエラーとする。
【００５５】
図６に示すように、エリア６０２において、使用商品コード「ＢＵＨＩＮ−０３−ａ」〜「ＢＵＨＩＮ−０３−ｃ」を１つも登録（入力）しなかった場合には、「使用商品に不足がある」旨のエラーメッセージを表示する。図６に示す例では、使用商品コード「ＢＵＨＩＮ−０１（部品０１）」と、使用商品コード「ＢＵＨＩＮ−０２（部品０２）」と、使用商品コード「ＢＵＨＩＮ−０４（商品名「部品０４」）のみが入力されており、使用商品コード「ＢＵＨＩＮ−０３−ａ」〜「ＢＵＨＩＮ−０３−ｃ」が１つも入力されていないので、エラーメッセージを表示する。
【００５６】
（２）正常登録になるパターン１
図７を参照して、正常登録になるパターン１を説明する。図４に示す製造仕様書の例では、図３に示す製造構成子マスタ１０６ｃを参照し、以下のように、類似品である３つの使用商品コードのうち、「何か１つでも」入力してあれば、データ更新前チェックで正常と判断する。
【００５７】
図７に示すように、エリア６０２において、使用商品コード「ＢＵＨＩＮ−０３−ａ」〜「ＢＵＨＩＮ−０３−ｃ」のうち、「ＢＵＨＩＮ−０３−ｂ」を１つ登録した場合は、「登録します。よろしいですか？」のメッセージを表示する。図７に示す例では、使用商品コード「ＢＵＨＩＮ−０１と、使用商品コード「ＢＵＨＩＮ−０２」と、使用商品コード「ＢＵＨＩＮ−０３−ｂ（商品３（類似品ｂ））」、使用商品コード「ＢＵＨＩＮ−０４」が入力されており、正常と判断される。
【００５８】
（３）正常登録になるパターン２
図８を参照して、正常登録になるパターン２を説明する。（２）の場合は、類似品である使用商品コードのうち、「何か１つ」を入力したパターンであるが、類似品は同一のものとして扱うことができるので、「複数の類似品」に使用数を分けて入力することも可能である。図４に示す製造仕様書の例では、図３に示す製造構成子マスタ１０６ｃを参照し、以下のように、類似品である３つの使用商品コードのうち、「２つ」を入力した場合も、データ更新前チェックで正常と判断する。複数の類似品を登録する場合は、類似品の使用数の総数が合致していれば正常と判断する。
【００５９】
図７に示すように、エリア６０２において、使用商品コード「ＢＵＨＩＮ−０３−ａ」〜「ＢＵＨＩＮ−０３−ｃ」のうち、「ＢＵＨＩＮ−０３−ａ」と、「ＢＵＨＩＮ−０３−ｃ」を登録した場合は、「登録します。よろしいですか？」のメッセージを表示する。図７に示す例では、使用商品コード「ＢＵＨＩＮ−０１」と、使用商品コード「ＢＵＨＩＮ−０２」と、類似品の使用商品コード「ＢＵＨＩＮ−０３−ａ（商品０３（類似品ａ）」：使用数「２」及び「使用商品コードＢＵＨＩＮ−０３−ｃ（商品０３（類似品ｃ））」：使用数「３」と、使用商品コード「ＢＵＨＩＮ−０４」が入力されており、正常と判断される。付言すると、製造構成子マスタ１０６ｃの類似品の使用数は「５」が設定されているので、ＢＵＨＩＮ−０３−ａが「２」個と、ＢＵＨＩＮ−０３−ｃが「３」個で総計「５」個となるので、正常と判断する。
【００６０】
以上説明したように、本実施の形態によれば、製造品である親商品と、親商品を構成する使用商品と、当該使用商品の使用数と、当該使用商品が類似品であるか否かを示すフラグと、類似品である場合のグループ番号とを関連づけて登録したマスタと、製造実績入力画面において、親商品について使用商品と使用数を入力して製造実績を登録する場合に、マスタを参照して、使用商品に類似品が含まれている場合は、同一のグループ番号の少なくとも１つの類似品を入力した場合に製造実績登録を許可する製造実績登録処理部１０２ｂを備えているので、製造品を構成する使用部品に類似品が含まれている場合の管理を容易にすることが可能となる。
【００６１】
［４．他の実施形態］
本発明は、上述した実施形態以外にも、特許請求の範囲に記載した技術的思想の範囲内において種々の異なる実施形態にて実施されてよいものである。      
【００６２】
例えば、実施形態において説明した各処理のうち、自動的に行われるものとして説明した処理の全部又は一部を手動的に行うこともでき、あるいは、手動的に行われるものとして説明した処理の全部又は一部を公知の方法で自動的に行うこともできる。
【００６３】
また、本明細書中や図面中で示した処理手順、制御手順、具体的名称、各処理の登録データや検索条件等のパラメータを含む情報、画面例、データベース構成については、特記する場合を除いて任意に変更することができる。
【００６４】
また、製造品管理装置１００に関して、図示の各構成要素は機能概念的なものであり、必ずしも物理的に図示の如く構成されていることを要しない。
【００６５】
例えば、製造品管理装置１００が備える処理機能、特に制御部にて行われる各処理機能については、その全部又は任意の一部を、ＣＰＵ及び当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて製造品管理装置１００に機械的に読み取られる。すなわち、ＲＯＭ又はＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。      
【００６６】
また、このコンピュータプログラムは、製造品管理装置１００に対して任意のネットワークを介して接続されたアプリケーションプログラムサーバに記憶されていてもよく、必要に応じてその全部又は一部をダウンロードすることも可能である。      
【００６７】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、及び、Ｂｌｕ−ｒａｙ（登録商標）  Ｄｉｓｃ等の任意の「可搬用の物理媒体」を含むものとする。      
【００６８】
また、「プログラム」とは、任意の言語又は記述方法にて記述されたデータ処理方法であり、ソースコード又はバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成及び読み取り手順ならびに読み取り後のインストール手順等については、周知の構成や手順を用いることができる。  
【００６９】
記憶部に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。      
【００７０】
また、製造品管理装置１００は、既知のパーソナルコンピュータ又はワークステーション等の情報処理装置として構成してもよく、また、任意の周辺装置が接続された当該情報処理装置として構成してもよい。また、製造品管理装置１００は、当該装置に本実施形態で説明した処理を実現させるソフトウェア（プログラム又はデータ等を含む）を実装することにより実現してもよい。      
【００７１】
更に、装置の分散・統合の具体的形態は図示するものに限られず、その全部又は一部を、各種の付加等に応じて又は機能負荷に応じて、任意の単位で機能的又は物理的に分散・統合して構成することができる。すなわち、上述した実施形態を任意に組み合わせて実施してもよく、実施形態を選択的に実施してもよい。      
【符号の説明】
【００７２】
１００  製造品管理装置
１０２  制御部
１０２ａ  画面表示制御部
１０２ｂ  製造実績登録処理部
１０２ｃ  製造仕様書出力部
１０２ｄ  マスタメンテ部
１０４  通信インターフェース部
１０６  記憶部
１０６ａ  商品マスタ
１０６ｂ  製造構成親マスタ
１０６ｃ  製造構成子マスタ
１１２  入力装置
１１４  出力装置
２００  サーバ
３００  ネットワーク
４００  端末装置
【図１】
2020134974.tif 000003
【図２】
2020134974.tif 000004
【図３】
2020134974.tif 000005
【図４】
2020134974.tif 000006
【図５】
2020134974.tif 000007
【図６】
2020134974.tif 000008
【図７】
2020134974.tif 000009
【図８】
2020134974.tif 000010